(57)【要約】【課題】  文書の用途に応じた文書の装飾を自動的に行う。【解決手段】  文書解析部２と、文書装飾部３と、記憶部４とを備える。記憶部４には、所定の装飾対象の語句と、文書の所定の属性と、所定の装飾情報との対応関係の情報が保存されている。さらに、記憶部４には、文書の所定の用途情報と、文書の予め登録された属性登録情報との対応関係の情報が保存されている。文書解析部２は、解析対象の文書から前記装飾対象の語句を抽出する機能を備えている。文書装飾部３は、前記解析対象の文書の前記用途情報に対応する前記属性登録情報と、前記抽出された語句との組み合わせに応じた前記装飾情報を、前記記憶部から読み出す機能を備えている。さらに、文書装飾部３は、その読み出した前記装飾情報に基づいて、前記抽出された語句を装飾する機能を備えている。【選択図】      図１
2014146385.tif 000002
【特許請求の範囲】
【請求項１】
所定の装飾対象の語句と、文書の所定の属性と、所定の装飾情報との対応関係の情報が保存されていると共に、文書の所定の用途情報と、文書の予め登録された属性登録情報との対応関係の情報が保存されている記憶部と、
解析対象の文書から前記装飾対象の語句を抽出する文書解析部と、
前記解析対象の文書の前記用途情報に対応する前記属性登録情報と、前記抽出された語句との組み合わせに応じた前記装飾情報を、前記記憶部から読み出し、当該装飾情報に基づいて、前記抽出された語句を装飾する文書装飾部と、
を備えている文書作成装置。
【請求項２】
前記文書装飾部は、前記装飾情報に基づいて、前記抽出された語句の前と後ろの一方又は両方に所定の装飾用文字・記号を挿入する機能と、前記抽出された語句の文字に所定の装飾を施す機能との少なくとも一方を備えている請求項１記載の文書作成装置。
【請求項３】
前記解析対象の文書は、タイトルと、本文とに区分けされており、
前記文書解析部は、予め与えられた指示情報に基づいて、前記解析対象の文書のタイトルと本文の一方又は両方で前記装飾対象の語句を抽出する機能を備えている請求項１又は請求項２記載の文書作成装置。
【請求項４】
前記記憶部には、さらに、所定の感情毎に定められた前記装飾対象の語句の情報が保存され、
前記文書解析部は、さらに、前記解析対象の文書を所定の感情解析手順に従って解析して前記解析対象の文書に含まれている感情を読み取る機能を備え、当該文書解析部による前記装飾対象の語句の抽出は、その読み取った文書の感情に対応する前記記憶部の前記装飾対象の語句の情報に基づいて行われる請求項１又は請求項２又は請求項３記載の文書作成装置。
【請求項５】
前記記憶部には、さらに、時間と位置と天候のうちの少なくとも１つを含む所定の状況情報と、文書の前記属性と、文書挿入用の画像の情報との対応関係の情報が保存され、
前記文書装飾部は、さらに、文書の前記属性登録情報と、外部からの前記状況情報との組み合わせに対応する前記文書挿入用の画像を前記記憶部から読み出し、当該読み出した画像を前記解析対象の文書に挿入する機能を備えている請求項１乃至請求項４の何れか一つに記載の文書作成装置。
【請求項６】
所定の装飾対象の語句と、文書の所定の属性と、所定の装飾情報との対応関係の情報を保存しておくと共に、文書の所定の用途情報と、文書の予め登録された属性登録情報との対応関係の情報を保存しておき、
解析対象の文書から前記装飾対象の語句を抽出し、
前記解析対象の文書の前記用途情報に対応する前記属性登録情報と、前記抽出された語句との組み合わせに応じた前記装飾情報を、前記保存されている情報から読み出し、当該装飾情報に基づいて、前記抽出された語句を装飾する文書作成方法。
【請求項７】
前記装飾情報に基づいた前記語句の装飾は、前記抽出された語句の前と後ろの一方又は両方に所定の装飾用文字・記号を挿入する装飾と、前記抽出された語句の文字に施す装飾との少なくとも一方を含んでいる請求項６記載の文書作成方法。
【請求項８】
前記解析対象の文書は、タイトルと、本文とに区分けされており、
前記装飾対象の語句の抽出は、予め与えられた指示情報に基づいて、前記解析対象の文書のタイトルと本文の一方又は両方で行う請求項６又は請求項７記載の文書作成方法。
【請求項９】
さらに、所定の感情毎に定められた前記装飾対象の語句の情報を保存しておき、
前記装飾対象の語句の抽出を行う前に、前記解析対象の文書を所定の感情解析手順に従って解析して前記解析対象の文書に含まれている感情を読み取り、
その後に、前記保存されている前記装飾対象の語句の情報に基づいて、前記解析対象の文書から前記読み取った感情に対応する前記装飾対象の語句を抽出する請求項６又は請求項７又は請求項８記載の文書作成方法。
【請求項１０】
さらに、時間と位置と天候のうちの少なくとも１つを含む所定の状況情報と、文書の前記属性、文書挿入用の画像の情報との対応関係の情報を保存しておき、
文書の前記属性登録情報と、外部からの前記状況情報との組み合わせに対応する前記文書挿入用の画像を前記保存されている情報から読み出し、
当該読み出した画像を前記解析対象の文書に挿入する請求項６乃至請求項９の何れか一つに記載の文書作成方法。
【請求項１１】
所定の装飾対象の語句と、文書の所定の属性と、所定の装飾情報との対応関係の情報が保存されていると共に、文書の所定の用途情報と、文書の予め登録された属性登録情報との対応関係の情報が保存されている装置に、
解析対象の文書から前記装飾対象の語句を抽出する機能と、
前記解析対象の文書の前記用途情報に対応する前記属性登録情報と、前記抽出された語句との組み合わせに応じた前記装飾情報を、前記保存されている情報から読み出す機能と、
その読み取った装飾情報に基づいて、前記抽出された語句を装飾する機能と、
を実行させるためのプログラム。
【請求項１２】
前記装置に、さらに、
前記装飾情報に基づいて、前記抽出された語句の前と後ろの一方又は両方に所定の装飾用文字・記号を挿入する装飾と、前記抽出された語句の文字に施す装飾との少なくとも一方を含む装飾を行う機能を実行させるための請求項１１記載のプログラム。
【請求項１３】
前記装置に、さらに、
予め与えられた指示情報に基づいて、タイトルと、本文とを含む前記解析対象の文書の前記タイトルと前記本文とのうちの一方又は両方で前記装飾対象の語句を抽出する機能を実行させるための請求項１１又は請求項１２記載のプログラム。
【請求項１４】
さらに、文書の所定の感情毎に定められた前記装飾対象の語句の情報を保存する前記装置に、さらに、
前記装飾対象の語句の抽出を行う前に、前記解析対象の文書を所定の感情解析手順に従って解析して前記解析対象の文書に含まれている感情を読み取る機能と、
前記保存されている前記装飾対象の語句の情報に基づいて、前記解析対象の文書から前記読み取った感情に対応する前記装飾対象の語句を抽出する機能と、
を実行させるための請求項１１又は請求項１２又は請求項１３記載のプログラム。
【請求項１５】
さらに、時間と位置と天候のうちの少なくとも１つを含む所定の状況情報と、文書の前記属性、文書挿入用の画像の情報との対応関係の情報を保存する前記装置に、さらに、
文書の前記属性登録情報と、外部からの前記状況情報との組み合わせに対応する前記文書挿入用の画像を前記保存されている情報から読み出す機能と、
その読み出した画像を前記解析対象の文書に挿入する機能と、
を実行させるための請求項１１乃至請求項１４の何れか一つに記載のプログラム。
【請求項１６】
請求項１乃至請求項５の何れか一つに記載の文書作成装置が含まれている情報処理装置。
【請求項１７】
請求項１乃至請求項４の何れか一つに記載の文書作成装置が含まれている通信機器。
【請求項１８】
時間と位置と天候のうちの少なくとも１つを含む所定の状況情報を所定の通信機能を利用して所定の情報源から取得する情報取得部を、さらに、備え、
前記記憶部には、さらに、前記状況情報と、文書の所定の属性と、文書挿入用の画像の情報との対応関係の情報が保存され、
前記文書装飾部は、さらに、文書の前記属性登録情報と、前記情報取得部により取得された前記状況情報との組み合わせに対応する前記文書挿入用の画像を前記記憶部から読み出し、当該読み出した画像を前記解析対象の文書に挿入する機能を備えている請求項１７記載の通信機器。
【請求項１９】
通信相手との所定の通信機能を利用した文書の遣り取り回数と遣り取りした文書の総データ量とのうちの少なくとも一方を含む情報に基づいた通信相手との親密度を判定する親密度判定部を、さらに、備え、
前記記憶部には、さらに、文書の前記属性に対応させたキャラクタの情報が保存されると共に、前記親密度に応じた前記キャラクタの変遷状態の画像情報が保存され、
前記文書装飾部は、さらに、文書の前記属性登録情報に対応する前記記憶部の前記キャラクタの情報と、前記判定された親密度の情報とに基づいて、前記キャラクタの前記変遷状態の画像を前記記憶部から読み出し、その読み出した前記キャラクタの変遷状態の画像を前記解析対象の文書に挿入する機能を備えている請求項１７又は請求項１８記載の通信機器。
【発明の詳細な説明】
【技術分野】
【０００１】
本発明は、文書を作成する技術に関するものである。
【背景技術】
【０００２】
近年、携帯型電話機に備えられているメール機能を利用して、気軽に文書（メール）の遣り取りが行われることが多くなっている。そのメールにて気持ちを伝え易くするために、メールを次のように装飾することがある。例えば、その装飾の手法の一つとして、文章中に、顔文字や絵文字を挿入する手法がある。なお、顔文字とは、括弧や点などの記号や、文字を利用して顔の表情や人の動作に見えるように作ったマークである。顔文字の例を挙げると、笑顔を表す(*^_^*)や、謝っている動作を表すm(_ _)mがある。また、絵文字とは、文字サイズのイラスト（アイコン）やアニメーション（動くアイコン）等の画像である。
【０００３】
また、メールを装飾する別の手法の一つとして、強調したい語句の文字を、他の文字よりも大きくしたり、太字にしたり、点滅させたり、他の文字とは異なる目立つ色にする等というように、文字自体を装飾する手法がある。
【０００４】
このように、絵文字や顔文字を文章中に挿入したり、文字自体を装飾することを手入力により行っていると、文書の作成に手間と時間が掛かる。このことから、装飾したメールを作成する際の手間の軽減や時間短縮を図るための手法が様々に提案されている。例えば、特許文献１には、入力された確定前の語句を文字変換する際の変換後文字候補の一つとして、顔文字も加える手法が提案されている。つまり、具体例を挙げると、その提案の手法では、「はれ」という確定前の語句を文字変換する際に、変換後文字候補として、「晴れ」、「張れ」、「腫れ」、「ハレ」・・・というような文字だけでなく、太陽のイラスト画像である絵文字をも示される。これにより、「はれ」という文字を入力し、変換後文字候補の中から太陽の絵文字を選択するだけで、文章中に簡単に太陽の絵文字を挿入することができる。
【０００５】
また、特許文献２には、次のようなメールの装飾手法が示されている。つまり、特許文献２では、メールの文章から、感情に関係している所定の単語を抽出し、当該抽出した単語に対応している感情情報を基に、メールの全体感情を検出する。そして、その検出した全体感情に基づいてメールの背景色を決定する。また、前記抽出した単語に対応している感情情報と、前記検出したメールの全体感情とに基づいた所定の装飾を、前記抽出した単語に行う。つまり、文字自体を装飾する。このように特許文献２の提案の手法では、メールの全体感情が自動的に検出され、当該検出された全体感情に応じて、メールの背景色が自動的に決定されると共に、メール中の所定の単語が自動的に装飾される。
【先行技術文献】
【特許文献】
【０００６】
【特許文献１】特開平６−９６０５６号公報
【特許文献２】特開２００６−１８５４２６号公報
【発明の概要】
【発明が解決しようとする課題】
【０００７】
前述した特許文献１の手法では、手入力された確定前の文字を文字変換する際の変換後文字候補として絵文字が追加されただけにすぎない。このため、文章中に絵文字を挿入する手順が漢字等の文字を入力する手順と同じになって当該絵文字の挿入手順が分かり易くなったが、絵文字挿入の手間はそれ程、軽減されていない。
【０００８】
特許文献２の手法では、前述したように、メールの背景色が自動的に決定されると共に、メール中の所定の単語が自動的に装飾されるので、メールの装飾に要する手間と時間を削減できる。しかしながら、当該特許文献２の手法では、メールの送信先が友人でも年上の方でも、メールに使用されている単語が同様であるならば、メールの装飾が同様になる。つまり、メールの装飾が、友人に送信するという用途に適当な装飾である場合には、そのメールの装飾は、年上の方に送信するという用途では不適切な装飾である虞がある。
【０００９】
本発明は上記課題を解決するために成されたものである。すなわち、本発明の主な目的は、文書の用途に応じた文書の装飾を自動的に行うことができる技術を提供することにある。
【課題を解決するための手段】
【００１０】
上記目的を達成するために、本発明の文書作成装置は、
所定の装飾対象の語句と、文書の所定の属性と、所定の装飾情報との対応関係の情報が保存されていると共に、文書の所定の用途情報と、文書の予め登録された属性登録情報との対応関係の情報が保存されている記憶部と、
解析対象の文書から前記装飾対象の語句を抽出する文書解析部と、
前記解析対象の文書の前記用途情報に対応する前記属性登録情報と、前記抽出された語句との組み合わせに応じた前記装飾情報を、前記記憶部から読み出し、当該装飾情報に基づいて、前記抽出された語句を装飾する文書装飾部と、
を備えている。
【００１１】
本発明の文書作成方法は、
所定の装飾対象の語句と、文書の所定の属性と、所定の装飾情報との対応関係の情報を保存しておくと共に、文書の所定の用途情報と、文書の予め登録された属性登録情報との対応関係の情報を保存しておき、
解析対象の文書から前記装飾対象の語句を抽出し、
前記解析対象の文書の前記用途情報に対応する前記属性登録情報と、前記抽出された語句との組み合わせに応じた前記装飾情報を、前記保存されている情報から読み出し、当該装飾情報に基づいて、前記抽出された語句を装飾する。
【００１２】
本発明のプログラムは、
所定の装飾対象の語句と、文書の所定の属性と、所定の装飾情報との対応関係の情報が保存されていると共に、文書の所定の用途情報と、文書の予め登録された属性登録情報との対応関係の情報が保存されている装置に、
解析対象の文書から前記装飾対象の語句を抽出する機能と、
前記解析対象の文書の前記用途情報に対応する前記属性登録情報と、前記抽出された語句との組み合わせに応じた前記装飾情報を、前記保存されている情報から読み出す機能と、
その読み取った装飾情報に基づいて、前記抽出された語句を装飾する機能と、
を実行させる。
【００１３】
本発明の情報処理装置は、
所定の装飾対象の語句と、文書の所定の属性と、所定の装飾情報との対応関係の情報が保存されていると共に、文書の所定の用途情報と、文書の予め登録された属性登録情報との対応関係の情報が保存されている記憶部と、
解析対象の文書から前記装飾対象の語句を抽出する文書解析部と、
前記解析対象の文書の前記用途情報に対応する前記属性登録情報と、前記抽出された語句との組み合わせに応じた前記装飾情報を、前記記憶部から読み出し、当該装飾情報に基づいて、前記抽出された語句を装飾する文書装飾部と、
を備えている。
【００１４】
本発明の通信機器は、
所定の装飾対象の語句と、文書の所定の属性と、所定の装飾情報との対応関係の情報が保存されていると共に、文書の所定の用途情報と、文書の予め登録された属性登録情報との対応関係の情報が保存されている記憶部と、
解析対象の文書から前記装飾対象の語句を抽出する文書解析部と、
前記解析対象の文書の前記用途情報に対応する前記属性登録情報と、前記抽出された語句との組み合わせに応じた前記装飾情報を、前記記憶部から読み出し、当該装飾情報に基づいて、前記抽出された語句を装飾する文書装飾部と、
を備えている。
【発明の効果】
【００１５】
本発明によれば、文書の用途に応じた文書の装飾を自動的に行うことができる。これにより、用途に応じて装飾された文書の作成に要する手間の軽減および作成時間の短縮を図ることができる。
【図面の簡単な説明】
【００１６】
【図１】第１実施形態を説明するための図である。
【図２】第２実施形態の通信機器である携帯型電話機の基本構成を説明するためのブロック図である。
【図３】第２実施形態におけるメール自動装飾に関わる構成を抜き出して示したブロック図である。
【図４】携帯型電話機におけるメール作成用の画面の一例を示す図である。
【図５】用途別装飾モードで用いるデータの一例を示す図である。
【図６】用途別装飾モードでもってメールを装飾する際の制御動作の一例を説明するためのフローチャートである。
【図７】感情別装飾モードで用いるデータの一例を示す図である。
【図８】文書の感情を自動的に読み取る際に用いるデータの一例を示す図である。
【図９】周囲状況別装飾モードで用いるデータの一例を示す図である。
【図１０】周囲状況別装飾モードで用いる情報を外部から取得する場合の一構成例を説明するための図である。
【図１１】育成キャラ装飾モードで用いるデータの一例を示す図である。
【図１２】育成キャラ装飾モードでメールを装飾する場合の制御構成の一例を説明するためのブロック図である。
【発明を実施するための形態】
【００１７】
以下に、本発明に係る実施形態を図面に基づいて説明する。
【００１８】
（第１実施形態）
図１（ａ）に示されるように、第１実施形態の文書作成装置１は、文書解析部２と、文書装飾部３と、記憶部４とを備えている。記憶部４には、所定の装飾対象の語句と、文書の所定の属性と、所定の装飾情報との対応関係の情報が保存されていると共に、文書の所定の用途情報と、文書の予め登録された属性登録情報との対応関係の情報が保存されている。
【００１９】
文書解析部２は、解析対象の文書から前記装飾対象の語句を抽出する機能を有している。文書装飾部３は、前記解析対象の文書の前記用途情報に対応する前記属性登録情報と、前記抽出された語句との組み合わせに応じた前記装飾情報を、前記記憶部４から読み出す機能を有している。さらに、文書装飾部３は、その読み出した装飾情報に基づいて、前記抽出された語句を装飾する機能を有している。この文書作成装置１には、そのような文書解析部２および文書装飾部３の各機能を実現するためのプログラムが与えられている。
【００２０】
この第１実施形態の文書作成装置１では、文書を装飾する際には、文書解析部２が、解析対象の文書（換言すれば、装飾したい文書）から装飾対象の語句を抽出する（図１（ｂ）のステップＳ１）。次に、文書装飾部３が、前記解析対象の文書の前記用途情報に対応する前記属性登録情報と、前記抽出された語句との組み合わせに応じた前記装飾情報を、前記記憶部４から読み出す（ステップＳ２）。そして、文書装飾部３が、その読み出した装飾情報に基づいて、前記抽出された語句を装飾して文書を装飾する（ステップＳ３）。
【００２１】
この第１実施形態の文書作成装置１では、上記のように動作して、装飾したい文書を自動的に装飾することができる。しかも、その自動的に行われる文書の装飾は、文書の用途に応じて登録された属性登録情報に基づいた装飾であることから、文書の用途に適した装飾である。つまり、この第１実施形態の文書作成装置１では、文書の用途に適した装飾を自動的に文書に施すことができる。換言すれば、この第１実施形態の文書作成装置１では、用途に不適切な装飾が文書に施される事態を防止できる。また、この第１実施形態の文書作成装置１では、用途に応じて装飾された文書の作成に要する手間の軽減および作成時間の短縮を図ることができるという効果を得ることができる。
【００２２】
上述したような文書作成装置１における文書の装飾に関わる構成を、例えば、文書作成機能を備えた情報処理装置や通信機器に組み込むことにより、図１（ｃ）に示す情報処理装置６や、図１（ｄ）に示す通信機器７を構成できる。すなわち、情報処理装置６および通信機器７は、上述した文書解析部２と文書装飾部３と記憶部４を備えている。このため、これら情報処理装置６および通信機器７は、文書作成装置１と同様に、用途に適した装飾を文書に自動的に施すことができる。これにより、文書作成装置１と同様に、情報処理装置６および通信機器７においても、用途に不適切な装飾が文書に施される事態を防止できる効果を得ることができる。さらに、情報処理装置６および通信機器７は、用途に応じて装飾された文書の作成に要する手間の軽減および作成時間の短縮を図ることができるという効果を得ることができる。
【００２３】
（第２実施形態）
以下に、第２実施形態を説明する。
【００２４】
まず、第２実施形態の通信機器である携帯型電話機の基本構成を図２に基づいて説明する。すなわち、第２実施形態の携帯型電話機１０は、アンテナ１２と、無線通信部１３と、制御部１４と、記憶部１５と、音声処理部１６とを備えている。さらに、携帯型電話機１０は、表示部１７と、操作部１８と、マイク１９と、スピーカ２０とを備えている。
【００２５】
表示部１７は、画像や文字等を表示するものであり、液晶画面等により構成されている。操作部１８は、携帯型電話機１０を操作するためのものであり、例えばテンキーや決定キー等により構成されている。マイク１９は、音声を電気信号である音声信号に変換する構成を有している。スピーカ２０は、電気信号である音声信号を音声に変換して発する構成を有している。なお、携帯型電話機１０には、音声を発するスピーカ２０と共に、着信音等の音や音楽を発するスピーカが設けられるが、ここでは、そのスピーカの図示は省略する。
【００２６】
アンテナ１２は、電波（搬送波）の送受信を行うものである。無線通信部１３は、送信対象の信号を搬送波に乗せ当該搬送波をアンテナ１２により無線基地局に向けて送信させる機能を備えている。さらに、無線通信部１３は、アンテナ１２で受信した無線基地局からの搬送波から信号を取り出す機能を備えている。
【００２７】
記憶部１５は、プログラムやデータ等の様々な情報を保存するものである。制御部１４は、記憶部１５に保存されているプログラムに従い、操作部１８の操作情報等に基づいて携帯型電話機１０の動作（例えば、表示部１７の表示動作や、電話の通話に関わる動作など）を制御するものである。
【００２８】
音声処理部１６は、マイク１９から出力された音声信号を、無線通信部１３に適した所定の信号形態に変換して無線通信部１３に出力する機能を備えている。さらに、音声処理部１６は、無線通信部１３で受信された信号の中に、通話の音声に関する信号が含まれていた場合には、その音声に関する信号をスピーカ２０に適した音声信号に変換する機能を備えている。
【００２９】
この第２実施形態の携帯型電話機１０は、上述したような基本構成に加えて、次のような構成を備えている。つまり、第２実施形態の携帯型電話機１０は、さらに、メール機能を備えている。メール機能とは、メール（文書）を作成し当該作成したメールを所望の送信相手に向けて無線送信するための機能である。この第２実施形態の携帯型電話機１０のメール機能には、その作成するメールに自動的に装飾を施すことができる機能が含まれている。
【００３０】
すなわち、この第２実施形態では、図３に示されるように、制御部１４は、メール機能部２５を備えている。このメール機能部２５は、おまかせデコ部２６と、メール通信部２７と、作成制御部２８とを含んでいる。これらおまかせデコ部２６とメール通信部２７と作成制御部２８は、記憶部１５に保存されているメール機能実現のためのプログラムに従って制御部１４が動作することにより、実現されるものである。以下に、それらおまかせデコ部２６とメール通信部２７と作成制御部２８の各機能に関し、説明する。
【００３１】
作成制御部２８は、メール作成に関わる動作を指示（制御）する機能を備えている。例えば、作成制御部２８は、操作部１８の操作情報に基づいて、メール作成の開始要求を検知した場合には、例えば図４に示されるようなメール作成用の画面３３を表示部１７に表示させる機能を備えている。この第２実施形態では、メールは、件名（タイトル）と、本文とに区分され、また、当該メールには、ファイルの添付が可能となっている。さらに、メールには、送信先（宛先）のアドレスの情報が含まれている。このため、この第２実施形態では、メール作成用の画面３３には、メールの宛先のアドレスを記入する欄３４と、件名を記入する欄３５と、添付ファイルのファイル名等の情報を記入する欄３６と、本文を記入する欄３７とが表示される。
【００３２】
さらに、作成制御部２８は、そのメール作成用の画面３３の各欄３４〜３７に、操作部１８の操作情報に基づいた文字や記号を表示させる動作を制御する機能を備えている。さらに、作成制御部２８は、操作部１８により加えられた文字変換の指示に従って、操作部１８によって入力された確定前の文字を漢字等に変換させて確定させるための動作制御を行う機能も備えている。さらにまた、作成制御部２８は、作成途中のメールの情報を一時情報保存用メモリ（図示せず）に時々刻々と更新保存する機能を備えている。
【００３３】
メール通信部２７は、メール送信の指示が操作部１８の操作によって加えられたことを検知した場合には、送信対象のメールを、当該メールの宛先のアドレスに基づいて無線通信部１３とアンテナ１２を介して無線送信する機能を備えている。さらに、メール通信部２７は、アンテナ１２と無線通信部１３を介して受信したメールの内容を表示部１７に表示させる機能を備えている。さらにまた、メール通信部２７は、送受信したメールの情報（タイトルや、本文や、通信相手のアドレス等の情報）をメールの通信履歴情報として記憶部１５に格納する機能を備えている。
【００３４】
おまかせデコ部２６は、メールを自動的に装飾する機能を備えているものである。この第２実施形態では、おまかせデコ部２６による文書装飾モードとして、次のような４つのモード（１）〜（４）があり、それら４つの文書装飾モード（１）〜（４）の中から、利用したい文書装飾モードを操作部１８の操作により選択可能となっている。
【００３５】
文書装飾モード；
（１）用途別装飾モード（送信先に応じた装飾をメールに行うモード）
（２）感情別装飾モード（メールの感情を考慮した装飾をメールに行うモード）
（３）周囲状況別装飾モード（天気等の周囲状況を考慮した装飾をメールに行うモード）
（４）育成キャラ装飾モード（送信先に応じた育成キャラをメールに挿入するモード）
おまかせデコ部２６は、これら文書装飾モード（１）〜（４）でもってメールを自動的に装飾するために、文書解析部３０と文書装飾部３１を含んでいる。以下に、各文書装飾モード（１）〜（４）毎に、各モードに関連して記憶部１５に格納されるデータを説明すると共に、文書解析部３０と文書装飾部３１の各機能を説明する。
【００３６】
（１）用途別装飾モード
この用途別装飾モードのために、記憶部１５には、図５（ａ）に示されるように、装飾対象語句データＤscと、装飾確定用データＤddと、宛先別雰囲気登録データＤahとが格納されている。装飾対象語句データＤscとは、例えば、図５（ｂ）に示されるような予め定められた装飾対象の語句の情報である。また、装飾確定用データＤddとは、図５（ｃ）に示されるような、装飾対象の語句と、文書の属性である雰囲気との組み合わせと、予め定めた装飾情報との対応関係を示すデータである。例えば、図５（ｃ）の例では、装飾対象の語句「車」と、文書の雰囲気「明るく」との組み合わせに、装飾情報「絵文字（赤いスポーツカー）を後ろに挿入」が対応している。なお、図５（ｃ）の例では、文書の雰囲気（属性）として、「明るく」、「落ち着き」、「暗め」が挙げられているが、文書の雰囲気（属性）はそれらに限定されるものではなく、その文書の雰囲気（属性）の内容および数は適宜設定されるものである。また、装飾確定用データＤddにおける装飾情報は、変更不可であってもよいが、利用者の満足度を挙げるためには、操作部１８の操作によって変更可能とすることが好ましい。
【００３７】
宛先別雰囲気登録データＤahとは、メールの送信先のアドレス（用途情報）と、その送信先に対して設定されたメールの属性登録情報である雰囲気登録情報との対応関係を示すデータである。その雰囲気登録情報は、前述した装飾確定用データＤddにおける文書の雰囲気に設定されている、例えば、「明るく」、「落ち着き」、「暗め」等の中から、何れか一つが選択されて登録された情報である。
【００３８】
文書解析部３０は、用途別装飾モードでのメール自動装飾の実行指示が作成制御部２８から出力されたことを検知した場合には、記憶部１５から装飾対象語句データＤscを読み出す機能を持つ。さらに、文書解析部３０は、その装飾対象語句データＤscに含まれている装飾対象の語句を、装飾対象のメール（解析対象の文書）から抽出する機能を持つ。この第２実施形態では、前述したように、メールは、タイトルと、本文とに区分けされており、装飾対象が、本文のみと、タイトルのみと、本文とタイトルの両方とのうちの何れであるかを操作部１８により選択できるようになっている。文書解析部３０による装飾対象の語句の抽出は、その選択された装飾対象の情報（指示情報）に基づいたメール部分で行われる。
【００３９】
文書装飾部３１は、装飾対象のメールから当該メールの送信先のアドレスを取り込む機能を持つ。さらに、文書装飾部３１は、その取り込んだアドレスに対応しているメールの雰囲気登録情報を、記憶部１５の宛先別雰囲気登録データＤahから読み出す機能を持つ。さらに、文書装飾部３１は、文書解析部３０により抽出された装飾対象の語句と、メールの雰囲気登録情報との組み合わせに対応する装飾情報を装飾確定用データＤddから読み出す機能を持つ。さらにまた、文書装飾部３１は、その装飾情報に基づいて、前記抽出された装飾対象の語句を装飾する機能を持つ。
【００４０】
次に、用途別装飾モードにおいてメールを装飾する場合の文書解析部３０および文書装飾部３１の動作の一例を図６のフローチャートに基づいて説明する。
【００４１】
例えば、メールの作成者が操作部１８を操作して用途別装飾モードでのメールの自動装飾を指令したことを作成制御部２８が検知すると、当該作成制御部２８がおまかせデコ部２６に向けて、用途別装飾モードでのメール装飾を指示する信号を出力する。ステップＳ１０１において、文書解析部３０がその指示信号を検知すると、ステップＳ１０２において、文書解析部３０は、操作部１８により入力された前記指示情報に基づいて、メールのタイトルを装飾するか否かを判断する。そして、文書解析部３０は、タイトルを装飾すると判断した場合には、ステップＳ１０３において、記憶部１５の装飾対象語句データＤscに基づきタイトルにおける装飾対象の語句の有無を判断する。これにより、装飾対象の語句がタイトルに有ったと判断した場合には、ステップＳ１０４において、文書解析部３０は、タイトルから、その装飾対象の語句を抽出する。
【００４２】
その後、ステップＳ１０５において、文書装飾部３１は、装飾対象のメールから送信先のアドレスを取り込み、記憶部１５の宛先別雰囲気登録データＤahから、その取り込んだ送信先のアドレスに対応するメールの雰囲気登録情報を読み出す。そして、文書装飾部３１は、その雰囲気登録情報と、前記抽出された装飾対象の語句との組み合わせに対応する装飾情報を記憶部１５の装飾確定用データＤddから読み出す。ステップＳ１０６において、文書装飾部３１は、その装飾情報に基づいて、タイトルにおける前記抽出された装飾対象の語句を装飾する。例えば、装飾対象のメールのタイトルに「ありがとう」の語句が有り、装飾対象のメールの雰囲気登録情報が「落ち着き」であるとする。この場合には、図５（ｃ）における装飾確定用データＤddの装飾情報に基づいて、文書装飾部３１は、装飾対象のメールのタイトルにおける「ありがとう」の後ろに顔文字「(^_^)」を挿入する。このように、文書装飾部３１は、装飾確定用データＤddの装飾情報に基づいて、タイトルから抽出された装飾対象の語句の前と後ろの一方又は両方に、絵文字や顔文字や記号等の装飾用文字・記号を挿入したり、その装飾対象の語句の文字を装飾する。
【００４３】
タイトルの装飾後には、ステップＳ１０７において、文書解析部３０が、操作部１８により入力された前記指示情報に基づいて、本文の装飾を行う設定が有るか否かを判断する。この判断によって、本文の装飾を行う設定が無い、つまり、タイトルのみの装飾の設定であると判断された場合には、用途別装飾モードでのメール自動装飾動作は終了する。一方、本文の装飾を行う設定が有ると判断された場合には、タイトルの装飾動作と同様の動作によって、本文の装飾が行われる。すなわち、ステップＳ１０８において、文書解析部３０が、装飾対象語句データＤscに基づいて、本文に装飾対象の語句が有るか否かを判断する。そして、本文に装飾対象の語句が無かったと判断された場合には、用途別装飾モードでのメール自動装飾動作は終了する。これに対し、本文に装飾対象の語句が有ると判断された場合には、ステップＳ１０９において、文書解析部３０が、本文から装飾対象の語句を抽出する。そして、ステップＳ１１０において、文書装飾部３１が、装飾対象のメールから送信先のアドレスを取り込み、そのアドレスに対応した雰囲気登録情報を宛先別雰囲気登録データＤahから読み出す。さらに、文書装飾部３１は、その読み出した雰囲気登録情報と、前記抽出された装飾対象の語句との組み合わせに対応する装飾情報を、装飾確定用データＤddから読み出す。その後、文書装飾部３１は、その装飾情報に基づいて、前記タイトルの装飾と同様に、本文に関しても、前記抽出された装飾対象の語句を装飾する。
【００４４】
上記のように、文書解析部３０および文書装飾部３１が動作して、用途別装飾モードによる装飾がメールに自動的に行われる。なお、上記のように自動的に挿入された絵文字や顔文字や記号や、語句の文字の装飾は、操作部１８の操作によって、変更や削除等の編集が可能となっている。例えば、装飾内容の変更に関しては、変更対象の装飾を指定した後に、所定のキーを押下する度に装飾候補内容が順次表示される構成を備えていてもよい。具体的には、例えば、装飾対象の語句「車」の装飾（赤いスポーツカー）を変更したいとする。この場合には、図５（ｃ）の装飾確定用データＤddにおける「車」に対応している装飾情報に基づいて、所定のキーを押下する度に、装飾の絵文字が、「茶のセダン車」→「黒のセダン車」→「赤いスポーツカー」と順次表示される。このように順次表示される絵文字の中から変更後の所望の絵文字を選択することにより、簡単に装飾の変更を行うことができる。
【００４５】
この用途別装飾モードでは、用途、つまり、送信先に応じた装飾を自動的にメールに行うことができる。
【００４６】
（２）感情別装飾モード
記憶部１５には、感情別装飾モードのために、感情解析用プログラムが格納されている。この感情解析用プログラムは、メールの文章からメールの感情を自動的に読み取るための感情解析手順が示されているものである。記憶部１５には、さらに、図７（ａ）に示されるように、前記した装飾対象語句データＤsc、装飾確定用データＤdd、宛先別雰囲気登録データＤahに加えて、抽出語句確定用データＤtsが格納されている。この抽出語句確定用データＤtsとは、図７（ｂ）に示されるように、所定の感情毎に決定された装飾対象の語句の情報である。
【００４７】
文書解析部３０は、感情別装飾モードに関する次のような機能を備えている。すなわち、文書解析部３０は、感情別装飾モードでのメール自動装飾の実行指示が作成制御部２８から出力されたことを検知すると、感情解析用プログラム（感情解析手順）に従い動作してメールに含まれている感情を自動的に読み取る機能を備えている。メールの感情を自動的に読み取る手法は特に限定されるものではないが、その一例を次に挙げる。
【００４８】
例えば、記憶部１５には、図８に示されるような、感情に関係する語句と、感情と、感情度数との関係データが感情判定用データＤhhとして与えられている。メールの感情を解析する際には、まず、その感情解析対象のメールから、感情判定用データＤhhに挙げられている感情に関係する語句を抽出する。そして、感情判定用データＤhhから、その抽出した語句に対応している感情およびその感情度数を取り込む。その後、その取り込んだ各感情毎の感情度数の総数を算出する。これら感情度数の総数を比較して、メールの感情を判定する。例えば、感情「嬉しい」の総感情度数が他の感情の総感情度数よりも高かった場合には、メールの感情は、「嬉しい」と判定される。
【００４９】
上記のようにして、メールの感情を自動的に読み取ることができる。
【００５０】
文書解析部３０は、上記のような感情解析の機能だけでなく、さらに、その解析したメールの感情に応じた装飾対象の語句の情報を記憶部１５の抽出語句確定用データＤtsから読み出す機能を備えている。感情別装飾モードでは、文書解析部３０による装飾対象の語句の抽出は、その読み出した装飾対象の語句の情報に基づいて行う。例えば、図７（ｂ）の抽出語句確定用データＤtsに基づくと、メールの感情が「楽しい」と判定された場合には、装飾対象の語句として「車」が抽出されるのに対して、メールの感情が「悲しい」と判定された場合には、「車」は抽出されない。このように、感情別装飾モードでは、メールの感情によって、文書解析部３０により抽出される語句が異なる。
【００５１】
文書装飾部３１は、用途別装飾モードと同様に、文書解析部３０によって抽出された装飾対象の語句に、装飾確定用データＤddから読み出した装飾情報に基づいた装飾を行う機能を備えている。
【００５２】
感情別装飾モードでメールを装飾する場合の文書解析部３０および文書装飾部３１の動作に関しては、上述したメールの感情検出および装飾対象の語句の決定に関わる動作以外は、前記した用途別装飾モードにおける動作と同様である。すなわち、感情別装飾モードでは、感情別装飾モードでのメールの自動装飾を指示する信号が作成制御部２８から出力したことを文書解析部３０が検知すると、まず最初に、文書解析部３０は、メールの感情を読み取る。そして、文書解析部３０は、その読み取ったメールの感情に対応している装飾対象の語句の情報を記憶部１５の抽出語句確定用データＤtsから読み出す。この動作以降の文書解析部３０および文書装飾部３１の動作は、前述した図６のフローチャートにおけるステップＳ１０２の以降の動作と同様である。
【００５３】
この感情別装飾モードでは、用途（つまり、送信先）に応じただけでなく、メールの感情をも考慮した装飾を自動的に行うことができる。
【００５４】
（３）周囲状況別装飾モード
記憶部１５には、周囲状況別装飾モードのための図９のような挿入用画像データＤggが格納されている。その挿入用画像データＤggは、時間と位置と天候のうちの少なくとも１つを含む所定の状況情報と、文書の雰囲気（属性）との組み合わせと、文書挿入用の画像との対応関係を示すデータである。例えば、図９の例では、状況情報「時間−朝、天気−晴れ、位置−自宅」と、雰囲気「明るく」との組み合わせに、画像「Ｊ−Ａ」が対応している。
【００５５】
文書装飾部３１は、周囲状況別装飾モードに関して次のような機能を備えている。すなわち、文書装飾部３１は、周囲状況別装飾モードでのメール自動装飾の実行指示が作成制御部２８から出力されたことを検知した場合には、作成制御部２８に指示して周囲状況入力用画面を表示部１７に表示させる機能を備えている。その周囲状況入力用画面は、例えば、現在時刻と、現在の天気と、現在位置とのうちの少なくとも１つを含む所定の状況情報を操作部１８によって入力させるための画面である。この画面に基づいて操作部１８により入力された状況情報は作成制御部２８から文書装飾部３１に加えられる。
【００５６】
文書装飾部３１は、さらに、状況情報を受け取ると、その状況情報と、記憶部１５から前述のように読み出した送信先の雰囲気登録情報との組み合わせに応じた文書挿入用の画像を挿入用画像データＤggから読み出す機能を備えている。さらにまた、文書装飾部３１は、その読み出した文書挿入用の画像をメールの予め指定された位置に挿入してメールを装飾する機能を備えている。なお、その画像の挿入位置は、予め指定しておいた位置（例えばメール本文の冒頭や末尾など）でもよいし、操作部１８により指定された位置でもよい。また、画像を自動挿入した後に、その自動挿入された画像の挿入位置の変更が可能な構成としてもよい。
【００５７】
この周囲状況別装飾モードでは、メールを送信する時間や天候等の周囲状況に応じた画像をメールに挿入することができる。このため、メールの受信者は、その画像に基づいて、メール作成者（メール送信者）の感情に影響を与える時間や天候等の周囲状況が分かるので、メール作成者の気持ちが伝わり易くなる。しかも、その画像は、周囲状況だけでなく、送信先に応じた雰囲気登録情報をも考慮された画像である。このため、送信先に不適切な画像が挿入される事態を防止できる。
【００５８】
なお、上記では、状況情報は、操作部１８により手入力される情報であった。これに代えて、携帯型電話機１０は、状況情報を自動的に取得する構成を備えていてもよい。この場合には、例えば、携帯型電話機１０は、図１０に示すような情報取得部４０を備える。状況情報として現在時刻が設定されている場合には、情報取得部４０は、例えば、所定の通信機能である電話通信網によって、所定の情報源である時刻情報提供部（例えば基地局）と接続し、当該時刻情報提供部から現在時刻の情報を取得する機能を備える。また、状況情報として現在位置が設定されている場合には、情報取得部４０は、例えばＧＰＳ（Global Positioning System）を利用して現在位置を取得する機能を備える。さらに、状況情報として現在の天気が設定されている場合には、情報取得部４０は、所定の情報通信網によって、所定の天候情報提供部と接続し、当該天候情報提供部から、前記取得した現在位置における現在の天気の情報を取得する機能を備える。
【００５９】
上記のような情報取得部４０が設けられている場合には、文書装飾部３１は、周囲状況別装飾モードでもってメールを装飾する指示が出力されたことを検知した場合には、情報取得部４０に、所定の状況情報を取得させる指示を出力する機能を備える。さらに、文書装飾部３１は、情報取得部４０により取得された状況情報を利用して、前記同様に、周囲状況別装飾モードでもってメールを装飾する機能を備える。
【００６０】
（４）育成キャラ装飾モード
記憶部１５には、育成キャラ装飾モードに関わる図１１（ａ）に示されるような育成キャラクタデータＤccおよび図１１（ｂ）に示されるような育成キャラクタ成長画像データＤkgが格納されている。育成キャラクタデータＤccは、文書の雰囲気と、予め定めた育成キャラクタとの対応関係を示すデータである。育成キャラクタ成長画像データＤkgは、通信相手との親密度と、育成キャラクタの成長状態（変遷状態）の画像データとの対応関係を示すデータである。
【００６１】
さらに、記憶部１５には、親密度判定用データが格納されている。この親密度判定用データは、通信相手とのメールの遣り取り回数と、遣り取りしたメールの総データ量との少なくとも一方を含む情報（親密度判定用情報）に基づいて、通信相手との親密度を判定するためのデータである。例えば、親密度判定用情報がメールの遣り取り回数である場合には、メールの遣り取り回数が１０回未満の場合の親密度は「Ａ」、メールの遣り取り回数が１０回以上かつ３０回未満の場合の親密度は「Ｂ」、・・・というように、定められる。このように定められた親密度と、親密度判定用情報との関係を示したデータが親密度判定用データとして記憶部１５に格納される。なお、親密度判定用データは、前記親密度判定用情報を利用して親密度を算出するための数式であってもよい。
【００６２】
育成キャラ装飾モードのために、メール機能部２５には、さらに、図１２に示されるような親密度判定部４３を備えている。親密度判定部４３は、記憶部１５に保存されているメールの前記通信履歴情報に基づいて、メールの通信相手との親密度を判定する機能を備えている。
【００６３】
すなわち、親密度判定部４３は、記憶部１５のメールの通信履歴情報に基づいて、親密度判定対象の通信相手に関する前記親密度判定用情報を抽出する機能を備えている。さらに、親密度判定部４３は、その抽出した親密度判定用情報と、記憶部１５の親密度判定用データとを利用して、親密度判定対象の通信相手との親密度を判定する機能を備えている。例えば、親密度判定用情報として、メールの遣り取り回数が定められているとする。この場合には、親密度判定部４３は、まず、記憶部１５におけるメールの通信履歴情報に基づいて、親密度判定対象の通信相手とのメールの遣り取り回数（親密度判定用情報）を、例えば８回というように抽出する。そして、親密度判定部４３は、記憶部１５の親密度判定用データから、その抽出した親密度判定用情報に対応する親密度を例えば「Ａ」というように判定する。なお、この第２実施形態では、親密度判定用情報であるメールの遣り取り回数や、メールの総データ量は、通信相手に対して最初に育成キャラ装飾モードでの装飾を行ったメールから起算するものとする。
【００６４】
文書装飾部３１は、育成キャラ装飾モードに関して次のような機能を備えている。すなわち、文書装飾部３１は、育成キャラ装飾モードでのメール自動装飾の実行指示が作成制御部２８から出力されたことを検知すると、その装飾対象のメールに対応している送信相手のアドレスを取り込む機能を備えている。さらに、文書装飾部３１は、その取り込んだアドレスに対応している文書の雰囲気登録情報を、記憶部１５の宛先別雰囲気登録データＤahから読み出す機能を備えている。さらに、文書装飾部３１は、その読み出した雰囲気に対応している育成キャラクタの情報を育成キャラクタデータＤccから読み出す機能も備えている。さらにまた、文書装飾部３１は、その読み出した育成キャラクタに関し、親密度判定部４３により判定された装飾対象のメールの通信相手との親密度に応じた成長状態の画像を記憶部１５の育成キャラクタ成長画像データＤkgから読み出す機能を備えている。さらに、文書装飾部３１は、そのように読み出された育成キャラクタ画像をメールの指定された位置に挿入してメールを装飾する機能を備えている。その育成キャラクタ画像の挿入位置は、予め指定しておいてもよいし、操作部１８により指定された位置であってもよい。また、その自動挿入された育成キャラクタ画像の挿入位置は適宜変更可能としてもよい。
【００６５】
育成キャラ装飾モードでのメール装飾の具体例を次に挙げる。例えば、メールの送信相手αに対応する雰囲気登録情報が「明るく」であり、親密度判定部４３によってその送信相手αとの親密度が「Ａ」と判定されたとする。この場合には、文書装飾部３１によって、図１１（ｂ）の育成キャラクタ成長画像データＤkgから「玉子」の画像が読み出され、当該画像が送信相手αのメールに挿入される。送信相手αとのメール遣り取りが増加していくと、送信相手αとの親密度が上がっていく。これにより、育成キャラ装飾モードの装飾によって送信相手αのメールに自動挿入される育成キャラクタは、「玉子」→「ひよこ」→「にわとり」というように成長していく。
【００６６】
この育成キャラ装飾モードでのメール装飾においては、通信相手（送信相手）との親密度に応じて成長するキャラクタ画像がメールに自動的に挿入される。これにより、そのメールの受信者は、メールを受け取ることが楽しみになる。しかも、そのキャラクタ画像は、予め与えられている文書の雰囲気登録情報、つまり、送信先に応じた画像であるので、メールの受信者に不快感を与える事態を防止できる。
【００６７】
なお、育成キャラ装飾モードで用いる親密度は、メールの送受信の時間間隔をも考慮したものであってもよい。また、当該親密度は、メール遣り取り回数やメールの総データ量というようなメールの履歴に基づいた情報だけでなく、例えば、メールの送信相手との距離の情報をも考慮したものであってもよい。例えば、前述のＧＰＳを利用して、現在位置を取得すると共に、メールの送信相手のアドレスを持つ携帯型電話機の位置を取得し、これら取得した位置情報に基づいて、メールの送信相手との距離を算出する。このように算出された位置情報をも考慮して所定の親密度を判定してもよい。例えば、メールの通信履歴に基づいて判定したランクが「Ａ」であり、送信相手との距離に基づいて判定したランクが「ａ」である場合には、親密度は「Ａ−ａ」であるというように、親密度を判定してもよい。もちろん、育成キャラクタ成長画像データＤkgは、そのように判定される親密度毎に、育成キャラクタの成長状態の画像が与えられているデータとなる。
【００６８】
（その他の実施形態）
なお、この発明は第１や第２の各実施形態に限定されるものではなく、様々な実施の形態を採り得るものである。例えば、第２実施形態では、通信機器として携帯型電話機を例にして説明したが、例えば、本発明は、メールを作成・送信するメール機能を備えたパソコンやファクシミリやＰＤＡ（Personal Digital Assistant）にも適用することができる。さらに、本発明は、文書の作成機能を備えるが通信機能を持たないパソコン等の情報処理装置やワープロ等の文書作成装置にも適用することができる。このように、本発明が適用された文書作成装置や情報処理装置や通信機器は、前記同様の効果、つまり、文書の用途に応じた文書の装飾を自動的に行うことができるという効果を得ることができる。
【００６９】
また、第２実施形態では、用途情報として、作成した文書（つまり、メール）の送信相手の情報（アドレス）が定められていた。これに対して、例えば、パソコンで作成した文書のように文書の用途が送信以外であることも想定される場合には、用途情報として、例えば、会議資料、友人への手紙、親睦会の回覧などをも定めておいてもよい。この場合には、そのように定められた各用途情報に対応させて文書の属性（雰囲気）が登録される。さらに、それと共に、その用途情報を考慮して、前記装飾確定用データＤdd（つまり、所定の装飾対象の語句と、文書の所定の属性と、所定の装飾情報との対応関係を示すデータ）が作成される。このような場合には、送信以外の用途に適した装飾を文書に行うこともできることとなる。
【００７０】
さらに、第２実施形態では、４つの文書装飾モード（１）〜（４）でのメールの自動装飾が可能な構成であった。これに対して、少なくとも用途別装飾モード（１）での装飾が可能であるならば、他の文書装飾モード（２）〜（４）の１つ以上のモードでの装飾ができない構成であってもよい。この場合には、当然に、その持たない機能のためのプログラムは記憶部１５に格納されない。この場合には、メール（文書）の装飾に関わる構成の簡略化を図ることができる。
【００７１】
さらに、第２実施形態では、送信先毎に雰囲気登録情報が登録されていた。これに代えて、例えば、送信先がいくつかのグループ（例えば友人グループ、会社グループなど）に分類される場合には、そのグループ毎に雰囲気登録情報が定められてもよい。この場合には、送信先の所属グループを定めると、必然的に、その送信先に対応する雰囲気登録情報が定まるので、送信先毎に雰囲気登録情報を登録するよりも、送信先毎の文書の雰囲気を考えなくてよい分、送信先の情報の登録作業を簡単にすることができる。
【００７２】
さらに、第２実施形態では、装飾対象の語句を装飾していた。これに対して、例えば、さらに、メールの本文や、メール以外の文書の背景をも装飾する機能を持たせてもよい。この場合には、例えば、用途情報に対応させて登録される雰囲気登録情報（属性登録情報）と、背景の装飾情報とが対応している背景装飾用のデータが与えられ、当該データと、前記雰囲気登録情報とに基づいて背景が装飾される。この場合には、文書の用途に応じた背景の装飾を行うことが可能になる。
【００７３】
さらに、第２実施形態の構成に加えて、例えば、装飾確定用データＤddの装飾情報や、育成キャラクタデータＤccの育成キャラクタの情報や、育成キャラクタ成長画像データの画像等の情報の変更を可能にする構成を備えていてもよい。例えば、カメラが備えられている携帯型電話機においては、装飾確定用データＤddの装飾情報の一つを、そのカメラによって撮影された画像に変更可能な構成であってもよい。また、通信機器や、通信機能が備えられている情報処理装置や文書作成装置においては、例えば情報通信網を利用して取得した画像を前記装飾情報の一つとして用いるように変更可能な構成であってもよい。このような機能を備えることによって、文書作成者の、より好みにあった装飾を文書に行うことができる。
【００７４】
さらに、第２実施形態において、育成キャラ装飾モードでメールに挿入されるキャラクタは、親密度が上がるにつれて、成長状態が変化していくものであった。これに代えて、親密度が上がるにつれて、メールに自動挿入されるキャラクタが、例えば、「ねずみ」→「うさぎ」→「犬」→「馬」というように、変遷していくようにしてもよい。この場合には、そのようなキャラクタの変遷状態の画像と、親密度との対応関係の情報が記憶部１５に格納される。そして、前記同様に、その情報に基づいて、親密度に応じたキャラクタの変遷状態の画像がメールに自動挿入される。
【００７５】
さらに、第２実施形態では、文書の属性として雰囲気が設定されていたが、例えば、文書の属性として色（例えば、寒色系、暖色系など）が設定されていてもよい。このように、文書の属性は雰囲気以外を設定してもよいものである。
【符号の説明】
【００７６】
１  文書作成装置
２，３０  文書解析部
３，３１  文書装飾部
４，１５  記憶部
１０  携帯型電話機
４０  情報取得部
４３  親密度判定部
【図１】
2014146385.tif 000003
【図２】
2014146385.tif 000004
【図３】
2014146385.tif 000005
【図４】
2014146385.tif 000006
【図５】
2014146385.tif 000007
【図６】
2014146385.tif 000008
【図７】
2014146385.tif 000009
【図８】
2014146385.tif 000010
【図９】
2014146385.tif 000011
【図１０】
2014146385.tif 000012
【図１１】
2014146385.tif 000013
【図１２】
2014146385.tif 000014